(57)【要約】【目的】  事務機に供給される紙の正確な位置決めが可能でかつ故障が少なくしかも部品点数の少ない給紙機構を提供する。【解決手段】  第１の固定要素を有した第１の調節板と、第２の固定要素を有した第２の調節板と、第１・２の溝を具えた給紙体と、折曲げ構造を具えた可撓要素とを有してなり、第１の固定要素は第１の溝を貫通しかつ第２の固定要素は第２の溝を貫通しており、可撓要素の一端は第１の調節板の第１の固定要素上に固定されかつ他端は第２の調節板の第２の固定要素上に固定されており、折曲げ構造により第１・２の調節板が同時にかつ反対方向に動かされて紙のサイズに応じて第１・２の調節板間の距離を調節する。【選択図】図２Ａ
2007001768.tif 000002
【特許請求の範囲】
【請求項１】
紙を供給すべく事務機に応用される給紙機構であって、第１の固定要素を有した第１の調節板と、第２の固定要素を有した第２の調節板と、第１・２の溝を具えた給紙体と、折曲げ構造を具えた可撓要素とを有してなり、第１の固定要素は第１の溝を貫通しかつ第２の固定要素は第２の溝を貫通しており、可撓要素の一端は第１の調節板の第１の固定要素上に固定されかつ他端は第２の調節板の第２の固定要素上に固定されており、折曲げ構造により第１・２の調節板が同時にかつ反対方向に動かされて紙のサイズに応じて第１・２の調節板間の距離を調節することを特徴とする給紙機構。
【請求項２】
第１・２の調節板のそれぞれが外側縁に両調節板間に形成された空間に紙を置く直立板を有していることを特徴とする請求項１に記載の機構。
【請求項３】
第１の調節板の第１の固定要素と第２の調節板の第２の固定要素とがそれぞれファスナーを有しており、可撓要素の両端部のそれぞれが孔を有しており、該孔が第１・２の固定要素のそれぞれのファスナーと係合して、第１・２の調節板上の可撓要素の両端部を固定することを特徴とする請求項１に記載の機構。
【請求項４】
第１・２の溝が帯状の溝であって、第１の調節板の第１の固定要素が第１の溝中で動かされ第２の調節板の第２の固定要素が第２の溝中で動かされることを特徴とする請求項１に記載の機構。
【請求項５】
給紙体が可撓要素に当接する複数のレールを有していて可撓要素を支持することを特徴とする請求項１に記載の機構。
【請求項６】
事務機がコピー機、ファックス機、プリンター、スキャナーまたは多機能機器であり、可撓要素がステンレススチール片またはプラスチック片であり、可撓要素の折曲げ構造の折曲角度が１８０度であることを特徴とする請求項１に記載の機構。
【請求項７】
本体と、給紙機構とを有し、本体がコピー、ファックス、印刷またはスキャナー機能を具えており、給紙機構が事務機に紙を供給し、給紙機構が第１の固定要素を具えた第１の調節板と、第２の固定要素を具えた第２の調節板と、第１・２の溝を具えた給紙体と、折曲げ構造を具えた可撓要素とを有しており、第１の固定要素が第１の溝を貫通しかつ第２の固定要素が第２の溝を貫通しており、可撓要素の一端は第１の調節板の第１の固定要素上に固定されかつ他端は第２の調節板の第２の固定要素上に固定されており、折曲げ構造により第１・２の調節板が同時にかつ反対方向に動かされて紙のサイズに応じて第１・２の調節板間の距離を調節することを特徴とする事務機。
【発明の詳細な説明】
【技術分野】
【０００１】
この発明は給紙機構に関するものであり、特に事務機用の給紙機構の改良に関するものである。
【背景技術】
【０００２】
電子技術の発展とともに、殆どの事業所はコピー機やファックス機やプリンターやスキャナーまたは多機能機器の能力に依存して仕事を進めており、そのような事務機は事業所においてかけがいのない装置となってきた。一般に事務機は給紙機構を有しており、紙は給紙機構上に置かれて、コピーやファックスや印刷やスキャンのために事務機の内部に供給される。
【０００３】
図１Ａに示すのは従来の給紙機構である。図示のように、該給紙機構１０は給紙体１１、２個の調節板１２、２個のラック１３と歯車１４とを有している。ラック１３と歯車１４の伝導により左右の調節板１２は同時にかつ対称的に動かされて、紙のサイズに応じた適正な給紙幅を帯びるようになっている。
【０００４】
従来の給紙機構の組立てプロセスは以下のようになっている。まず調節板１２の裏面にある突出ファスナー１２１（図１Ｂに図示）が給紙体１１の対応する溝１１１を貫通する。ついでラック１３が調節板１２の対応する突出ファスナー１２１に係合する。さらに２個のラック１３が歯車１４と噛合って、一方の調節板１２が使用者によって一方の側に動かされると、他方の調節板１２が歯車１４の回転により同時に自動的に反対方向に動かされる。
【０００５】
ラック１３と歯車１４との協働により、２個の調節板１２は同時に反対方向に動かされる。しかし、２個の調節板１２を給紙体１１の溝１１１に組付けるときに、突出ファスナー１２１の挿入位置が正確に相互に対応しないことがある。するとラック１３が突出ファスナー１２１と係合し、歯車１４と噛合った後に不揃い欠陥が時折起きる。
【０００６】
換言すると、歯車１４が位置している中央から右の調節板１２までの幅が中央から左の調節板１２までの幅と等しくない。この結果、紙が不適正に位置決めされて、紙が事務機に供給されたときにスキャンまたは印刷され得る範囲に紙が限定されない。つまりコピー、ファックス、スキャンまたは印刷の質が影響されて、紙にコピー、ファックス、スキャンまたは印刷されない部分が出てくる。
【０００７】
さらに、ラック１３のピッチは固定されているので、従来の給紙機構は精密に調節することができない。加えて、右側に印加された力と左側に印加された力は同じではない。故に一方の調節板が頻繁に動けなくなる。さらに組立て部品点数が多くその組立てプロセスが複雑である。したがって上記のような欠点を克服できる新しい給紙機構が必要とされるのである。
【０００８】
かかる従来技術の現状に鑑みてこの発明の目的は、紙の正確な位置決めが可能でかつ故障が少なくしかも部品点数の少ない給紙機構を提供することにある。
【０００９】
この目的を達成すべくこの発明の給紙機構は、第１の固定要素を有した第１の調節板と、第２の固定要素を有した第２の調節板と、第１・２の溝を具えた給紙体と、折曲げ構造を具えた可撓要素とを有してなり、第１の固定要素は第１の溝を貫通しかつ第２の固定要素は第２の溝を貫通しており、可撓要素の一端は第１の調節板の第１の固定要素上に固定されかつ可撓要素の他端は第２の調節板の第２の固定要素上に固定されており、折曲げ構造により第１・２の調節板が同時にかつ反対方向に動かされて紙のサイズに応じて第１・２の調節板間の距離を調節することを要旨とするものである。
【００１０】
またこの発明の事務機は、本体と、給紙機構と、本体がコピー、ファックス、印刷またはスキャナー機能を具えており、給紙機構が事務機に紙を供給し、給紙機構が第１の固定要素を具えた第１の調節板と、第２の固定要素を具えた第２の調節板と、第１・２の溝を具えた給紙体と、折曲げ構造を具えた可撓要素とを有しており、第１の固定要素が第１の溝を貫通しかつ第２の固定要素が第２の溝を貫通しており、可撓要素の一端が第１の調節板の第１の固定要素上に固定され、可撓要素の他端が第２の調節板の第２の固定要素上に固定されていることを要旨とする。
【００１１】
一実施例においては、可撓要素の一端は各固定要素のファスナーと係合するための孔を有しており、これにより可撓要素の両端を両調節板に固定する。
【００１２】
一実施例においては、可撓要素はステンレススチールまたはプラスチックからなる片である。
【００１３】
一実施例においては、両溝は帯状の溝であり、第１の調節板の第１の固定要素は第１の溝内を動かされ、第２の調節板の第２の固定要素は第２の溝内を動かされる。
【００１４】
一実施例においては、給紙体が複数のレールを有しており、これが可撓要素に当接支持する。
【００１５】
一実施例においては、可撓要素の折曲げ構造の折曲げ角度が１８０度である。
【実施例】
【００１６】
この発明の給紙機構の一実施例を展開状態で示す図２Ａにおいて、給紙機構２０はコピー機、ファックス機、プリンター、スキャナーまたは多機能機器などの事務機に応用されるものである。紙は給紙機構２０上に載置され事務機の本体中に供給されてコピー、ファックス、スキャンまたは印刷が行われる。図示のように給紙機構２０は給紙体２１、調節板２２、調節板２３および可撓要素２４を有している。
【００１７】
事務機により処理される紙はＡ４、Ａ３、Ｂ４、Ｂ５またはＬＴＲなど種々のサイズを有しているので、２個の調節板、つまり調節板２２と調節板２３とが給紙体２１上に配置されている。両調節板２２、２３はそれぞれ直立板２２１、２３１を外側縁に有している。紙は２個の直立板２２１、２３１間の空間に置かれ、爾後紙のサイズに応じて直立板間の距離が調節でき、これにより紙は事務機に送り込まれたときにスキャンまたは印刷される範囲に限定される。
【００１８】
加えて、調節板２２、調節板２３はそれぞれの裏面に第１と第２の固定要素２２２、２３２を有している。給紙機構２０の組立て時には図２Ｃ、２Ｄに示すように、調節板２２の固定要素２２２は給紙体２１の第１の溝２１１を貫通して裏面に至り、調節板２３の固定要素２３２は給紙体２１の第２の溝２１２を貫通して裏面に至る。固定要素２２２は突出するファスナー２２２１を有しており、固定要素２３２も突出するファスナーを有している（図示せず）。
【００１９】
図２Ａにおいて、可撓要素２４はステンレススチールやプラスチックなどの可撓性の片から形成されており、１８０度の角度で折り曲げられてその可撓性の故に折曲げ構造２４１を形成する。可撓要素２４の両端は孔２４２を有しており、固定要素２２２、２３２は溝２１１、２１２を貫通後に可撓要素２４の両端は固定要素２２２、２２３の内部に挿入される。
【００２０】
爾後、固定要素２２２のファスナー２２２１は可撓要素２４の一端の孔２４２を貫通して可撓要素２４と係合し、固定要素２２２が溝２１１中で左右に動く。同時にファスナーは可撓要素２４の他端の孔２４２を貫通して可撓要素２４と係合する。これにより図２Ｃ、２Ｄに示すように固定要素２３２は溝２１２中で左右に動く。折曲げ構造２４１の故に、利用者がいずれかの調節板２２、２３を押圧すると右または左に動く。他の調節板２３、２２は反対方向に動かされる。
【００２１】
可撓要素２４の両端はそれぞれ調節板２２、２３に固定されているので、調節板２２、２３は同時に反対方向に動くことが可能であり、従来の給紙機構に見られる不揃い欠陥が回避される。
【００２２】
したがって、可撓要素２４と折曲げ構造２４１の可撓性により、この発明の給紙機構２０の調節板２２、２３は図２Ｄに示すように同時に反対方向に動くことができ、紙のサイズに合わせて利用者は調節板２２、２３の間の距離を調節できる。これにより紙が事務機に供給されるときに紙はスキャンまたは印刷できる範囲に限定できる。
【００２３】
この実施例では、給紙体２１はさらに給紙体２１の裏面に配置された複数のレール２１３を有しており、レール２１３は可撓要素２４に当接して可撓要素２４を支持する。これにより、可撓要素２４はレール２１３の支持により安定かつ円滑に動かされ、調節板２２、２３の動きも円滑となる。
【００２４】
さらに溝２１１、２１２は図２Ａに示すように帯状の溝であるので、調節板２２の固定要素２２２は溝２１１中で左右に動き、調節板２３の固定要素２３２は溝２１２中で左右に動く。
【００２５】
結論として好ましき実施例においては、給紙機構が折曲げ構造を具えた可撓要素を有しており、その両端はそれぞれ第１・２の調節板に固定されている。ここで該調節板は同時に反対方向に動かすことができ、利用者は紙のサイズに応じて調節板間の距離を調節することができる。これにより紙が事務機に供給される際に、紙はスキャンまたは印刷され得る範囲に限定されるのである。
【００２６】
さらに従来技術における歯車・ラックの噛合せに起因する不揃いが回避され、可撓要素の移送態様と２個の調節板のより円滑な運動の故に、調節板間の距離が自由に調節できるのである。さらに組み立て部品の数が低減され組立て工程も大幅に単純となる。したがって大なる産業的価値を有するものである。
【産業上の利用可能性】
【００２７】
この発明は事務機器製造の分野において広く利用されるものである。
【図面の簡単な説明】
【００２８】
【図１Ａ】従来の給紙機構を示す分解斜視図である。
【図１Ｂ】その一部組立図である。
【図２Ａ】この発明の給紙機構の好ましき実施例の分解斜視図である。
【図２Ｂ】その一部組立図である。
【図２Ｃ】その一部組立図である。
【図２Ｄ】その一部組立図である。
【符号の説明】
【００２９】
２０：  給紙機構
２１：  給紙体
２２、２３：  調節板
２４：  可撓要素
【図１Ａ】
2007001768.tif 000003
【図１Ｂ】
2007001768.tif 000004
【図２Ａ】
2007001768.tif 000005
【図２Ｂ】
2007001768.tif 000006
【図２Ｃ】
2007001768.tif 000007
【図２Ｄ】
2007001768.tif 000008